(57)【要約】【課題】画像ファイルにユーザー検索が容易になるキーワードを付加する画像保存検索システムを提供する。【解決手段】該画像保存検索システムにおいては、検索部が、ユーザー識別コードと検索用キーワードによって対応する所定のキーワードを検索して検索結果が得られる第一検索モード、そして検索用キーワードのみによって対応する所定のキーワードを検索して検索結果が得られる第二検索モードを有し、サーバ側通信部がモード情報を受信したとき、検索部がモード情報によって第一検索モードと第二検索モードの中の一つを用いて検索を行い、検索結果が得られることから、ユーザーはユーザー端末で自分に適した検索方法を選択して検索を行うことが容易になり、検索精度の向上と検索時間の節約に役立つ。【選択図】図１
2014175014.tif 000002
【特許請求の範囲】
【請求項１】
所定のキーワードを付加した画像ファイルを保存し、前記所定のキーワードに基づいて前記画像ファイルに対して検索を行う画像保存検索システムにおいて、
前記画像ファイルを保存するサーバ、及び
インターネットを介して各々前記サーバと通信接続する複数のユーザー端末を含み、
前記サーバは、画像保存部、キーワード保存部、検索部、及びサーバ側通信部を含み、
前記ユーザー端末は、画面保存部、入力表示部、及びユーザー側通信部を含み、
前記画面保存部は、少なくともログイン画面、検索画面及び検索結果画面を保存し、
前記入力表示部は、少なくともユーザーにユーザー識別コードを入力させるための前記ログイン画面を表示し、ユーザーに検索用キーワードを入力させ、かつユーザーに検索モードを表示するモード情報を選択させるための前記検索画面を表示し、
前記ユーザー側通信部は、少なくとも前記検索用キーワードと前記モード情報を前記サーバに送信し、
前記画像保存部は、複数の前記画像ファイル及び前記画像ファイルに対応付けられた画像ファイル属性情報を保存し、
前記キーワード保存部は、前記ユーザー識別コード、前記所定のキーワード及び前記画像ファイル属性情報を対応付けて予め保存し、
前記サーバ側通信部は、前記ユーザー端末から少なくとも前記検索用キーワードと前記モード情報を受信し、
前記検索部は、前記ユーザー識別コードと前記検索用キーワードによって対応付けられた前記所定のキーワードを検索して検索結果が得られる第一検索モードと、前記検索用キーワードのみによって対応付けられた前記所定のキーワードを検索して検索結果が得られる第二検索モードと、を有し、前記サーバ側通信部が前記モード情報を受信すると、前記検索部は、前記モード情報によって前記第一検索モードと前記第二検索モードの中の一つを用いて検索を行い、前記検索結果が得られ、
前記ユーザー側通信部は、前記サーバから前記検出結果を受信し、
前記入力表示部は、前記検索結果を含む前記検索結果画面を表示する、画像保存検索システム。
【請求項２】
前記モード情報は、前記第一検索モードと前記第二検索モードの中の一つを表し、
前記第一検索モードは、検索を求めるユーザーが作成した前記所定のキーワードについてのみ検索を行う個人検索モードであり、
前記第二検索モードは、全てのユーザーが作成した前記所定のキーワードについて検索を行う全部検索モードであり、
前記モード情報が個人検索モードと表す場合、前記ユーザー側通信部は、前記ユーザー識別コードを前記サーバに送信し、前記検索部は、前記ユーザー識別コードによって前記検索用キーワードと一致する前記所定のキーワードについて検索を行い、
前記モード情報が全部検索モードと表す場合、前記検索部は、前記検索用キーワードと一致する前記所定のキーワードについて全て検索を行うことを特徴とする、請求項１に記載の画像保存検索システム。
【請求項３】
前記検索部は、前記検索用キーワードと一致する前記所定のキーワードを検索後、前記所定のキーワードに対応付けられた前記画像ファイル属性情報が得られ、前記画像ファイル属性情報を含む前記検索結果を生成するとともに、前記ユーザー端末に送信することを特徴とする、請求項２に記載の画像保存検索システム。
【請求項４】
前記画像保存部は、さらに画像ファイル表示画面を保存し、
ユーザーが前記検索結果画面からいずれか一つの前記画像ファイル属性情報を選択すると、前記ユーザー側通信部は、前記サーバに選択された前記画像ファイル属性情報及び画像ファイル要求情報を送信し、
前記検索部は、前記画像ファイル要求情報及び前記画像ファイル属性情報によって前記画像保存部に対して検索を行い、対応する前記画像ファイルが得られ、
前記サーバ側通信部は、前記画像ファイルを前記ユーザー端末に送信し、
前記入力表示部は、前記画像ファイルを含む前記画像ファイル表示画面を表示することを特徴とする、請求項３に記載の画像保存検索システム。
【請求項５】
前記ユーザー端末は、さらに所定のキーワード付加部を含み、
前記画像ファイル表示画面は、キーワード付加キーを有し、
ユーザーが前記キーワード付加キーを選択すると、前記所定のキーワード付加部は、前記入力表示部を介してユーザーに新たな前記所定のキーワードを付加させ、
前記ユーザー側通信部は、前記サーバに新たに付加された前記所定のキーワード及び対応付けられた前記ユーザー識別コード、前記画像ファイルに対応付けられた前記画像ファイル属性情報を送信し、
前記キーワード保存部は、前記ユーザー識別コード、新たに付加された前記所定のキーワード及び前記画像ファイル属性情報を対応付けて追加保存することを特徴とする、請求項４に記載の画像保存検索システム。
【請求項６】
前記ユーザー端末は、さらに文字認識部を含み、
前記画像ファイル表示画面は、さらに文字認識キーを有し、
前記所定のキーワード付加部は、前記入力表示部を介してユーザーに新たな前記所定のキーワードの付加に関する指定エリアを入力させ、
ユーザーが前記文字認識キーを選択時、前記文字認識部は、前記指定エリア内の画像データに対して文字認識を行い、対応するエリア文字が得られ、
前記所定のキーワード付加部は、前記入力表示部を介してユーザに新たな前記所定のキーワードを付加時に前記エリア文字を使用するように選択させることを特徴とする、請求項５に記載の画像保存検索システム。
【請求項７】
所定のキーワードを付加した画像ファイルを保存し、前記所定のキーワードに基づいて前記画像ファイルに対して検索を行う画像保存検索システムにおいて、
前記画像ファイルを保存するのに用いるサーバ、及び
インターネットを介して各々前記サーバと通信接続する複数のユーザー端末を含み、
前記サーバは、画像保存部、キーワード保存部、検索部とサーバ側通信部を含み、
前記ユーザー端末は、画面保存部、入力表示部とユーザー側通信部を含み、
前記画面保存部は、少なくともログイン画面、検索画面及び検索結果画面を保存し、
前記入力表示部は、少なくともユーザーにユーザー識別コードを入力させるための前記ログイン画面を表示し、ユーザーに検索用キーワードを入力させ、かつユーザーに検索モードを表すモード情報を選択させるための前記検索画面を表示し、
前記ユーザー側通信部は、少なくとも前記検索用キーワードと前記モード情報を前記サーバに送信し、
前記画像保存部は、複数の画像ファイル及び前記画像ファイルに対応付けられた画像ファイル属性情報を保存し、
前記キーワード保存部は、前記ユーザー識別コード、前記所定のキーワード、前記検索モードに関して所定のキーワード類別を表すキーワード類別標識、及び前記画像ファイル属性情報を対応付けて予め保存し、
前記サーバ側通信部は、前記ユーザー端末から少なくとも前記検索用キーワードと前記モード情報を受信し、
前記検索部は、少なくとも前記モード情報と前記検索用キーワードによって前記キーワード保存部に対して検索を行い、前記検索用キーワードと一致する前記所定のキーワードの存在有無を判断して検索結果が得られ、
前記ユーザー側通信部は、前記サーバから前記検索結果を受信し、
前記入力表示部は、前記検索結果を含む前記検索結果画面を表示することを特徴とする、画像保存検索システム。
【請求項８】
前記モード情報は、検索を求めるユーザーが作成した個人型の所定のキーワードについてのみ検索を行う個人検索モード、全てのユーザーが共有できる共有型の所定のキーワードについて検索を行う共有検索モード、及び前記個人型と前記共有型の所定のキーワードについて全て検索を行う全部検索モードの中の一つを表し、
前記キーワード類別標識は、個人型及び共有型の中の一つを表し、
前記モード情報が個人検索モードを示した場合、前記ユーザー側通信部は、前記ユーザー識別コードを前記サーバに送信し、前記検索部は、前記ユーザー識別コードによって前記キーワード類別を個人型とし、かつ前記検索用キーワードと一致する前記所定のキーワードについて検索を行い、
前記モード情報が共有検索モードを示した場合、前記検索部は、前記キーワード類別を共有型とし、かつ前記検索用キーワードと一致する前記所定のキーワードについて検索を行い、
前記モード情報が全部検索モードを示した場合、前記検索部は、前記検索用キーワードと一致する前記所定のキーワードについて全て検索を行うことを特徴とする、請求項７に記載の画像保存検索システム。
【請求項９】
前記検索部は、前記検索用キーワードと一致する前記所定のキーワードを検索後、前記所定のキーワードに対応付けられた前記画像ファイル属性情報が得られ、前記画像ファイル属性情報を含む前記検索結果を生成し、前記ユーザー端末に送信することを特徴とする、請求項８に記載の画像保存検索システム。
【請求項１０】
前記画面保存部は、さらに画像ファイル表示画面を保存し、
ユーザーが前記検索結果画面からいずれか一つの前記画像ファイル属性情報を選択すると、前記ユーザー側通信部は、前記サーバに選択された前記画像ファイル属性情報及び画像ファイル要求情報を送信し、
前記検索部は、前記画像ファイル要求情報及び前記画像ファイル属性情報によって前記画像保存部に対して検索を行い、対応する前記画像ファイルが得られ、
前記サーバ側通信部は、前記画像ファイルを前記ユーザー端末に送信し、
前記入力表示部は、前記画像ファイルを含む前記画像ファイル表示画面を表示することを特徴とする、請求項９に記載の画像保存検索システム。
【請求項１１】
前記ユーザー端末は、さらに所定のキーワード付加部を含み、
前記画像ファイル表示画面は、キーワード付加キーを有し、
ユーザーが前記キーワード付加キーを選択した場合、前記所定のキーワード付加部は、前記入力表示部を介してユーザーに新たな前記所定のキーワード及び対応するキーワード類別標識を付加するようにし、
前記ユーザー側通信部は、前記サーバに新たに付加された前記所定のキーワード、前記キーワード類別標識及び対応する前記ユーザー識別コード、前記画像ファイルに対応付けられた前記画像ファイル属性情報を送信し、
前記キーワード保存部は、前記ユーザー識別コード、新たに付加された前記所定のキーワード及び前記画像ファイル属性情報を対応付けて追加保存することを特徴とする、請求項１０に記載の画像保存検索システム。
【請求項１２】
前記ユーザー端末はさらに文字認識部を含み、
前記画像ファイル表示画面は、さらに文字認識キーを有し、
前記所定のキーワード付加部は、さらに前記入力表示部を介して、ユーザーに新たな前記所定のキーワードの付加に関する指定エリアを入力するようにし、
ユーザーが前記文字認識キーを選択した場合、前記文字認識部は、前記指定エリア内の画像データに対して文字認識を行い、対応するエリア文字を取得し、
前記所定のキーワード付加部は、前記入力表示部を介して、ユーザーに新たな前記所定のキーワードを付加する際に前記エリア文字を使用するように選択させることを特徴とする、請求項１１に記載の画像保存検索システム。
【発明の詳細な説明】
【技術分野】
【０００１】
本発明は、画像保存検索システムに関するもので、特に画像ファイルにユーザー検索を容易にするキーワードを付加した画像保存検索システムに関するものである。
【背景技術】
【０００２】
現在、画像フィルの検索は、キーワードまたは字句など文字情報を入力することで行うものであり、画像ファイルと文字情報が対応していないため、まず画像ファイルを文字情報に変換し、それから変換後の文字情報に入力した文字情報と一致する文字情報が存在するかどうか判断しなければならない。存在する場合、必要な画像ファイルを検索し、存在しない場合、必要な画像ファイルは検索できない。光学文字認識（Ｏｐｔｉｃａｌ  Ｃｈａｒａｃｔｅｒ  ＲｅｃｏｇｎｉｔｉｏｎまたはＯＣＲ）はこの変換機能を実行するのに用いられている。
【０００３】
しかし、画像ファイルに含まれる情報量は膨大であり、ＯＣＲを使用して全ての画像ファイルを文字情報に変換するのに時間がかかり、また作業量も多いため、現実的ではない。また、すべての画像ファイルを文字情報に変換できたとしても、検索時の判断過程には引き続き長い検索時間がかかる。
【０００４】
検索時間を短縮し、検索効率を高めるため、現在、すでに全画像ファイルを文字情報に変換せず、各画像ファイルにキーワードを付加している。該キーワードと画像ファイルはセットになっているため、検索時に入力した文字情報と一致するキーワードを探し出せば、該キーワードによって必要な画像ファイルを探し出すことができる。キーワードの情報量は画像ファイル変換後に形成される文字情報の情報量よりも遥かに小さいため、この方法は検索速度を明らかに向上し、検索時間を節約できた。
【０００５】
しかし、異なるユーザーが同じ画像ファイルに対して異なる認識を有していたため、異なるユーザーが異なる付加規則によってキーワードを付加し、それにより検索が不正確になる可能性が起きた。例えば、一つのキーワードには同義の様々な表現があることがあり、あるユーザーがその中の一つの表現だけをキーワードにし、他の表現をキーワードにしなかった場合、別のユーザーが他の表現によって検索を行っても希望な検索結果が得られない。
【発明の概要】
【発明が解決しようとする課題】
【０００６】
本発明は、前記問題を解決するためになされたものであり、ユーザーに自分の設定したキーワードを利用して検索を行えるようにし、また他人の設定したキーワードを利用しても検索を行えるようにする画像保存検索システムを提供することを目的とする。
【課題を解決するための手段】
【０００７】
本発明は上述の目的を実現するため、以下の構造を用いている。
【０００８】
＜構造１＞
本発明は、所定のキーワードを付加した画像ファイルを保存し、前記所定のキーワードに基づいて前記画像ファイルに対して検索を行う画像保存検索システムにおいて、前記画像ファイルを保存するクラウドサーバ(なお、ここでは、クラウドサーバが一例のみでり、必要に応じて、あらゆる一般なサーバ装置を採用しても良い)、及びインターネットを介して各々前記クラウドサーバと通信接続する複数のユーザー端末を含み、前記クラウドサーバは、画像保存部、キーワード保存部、検索部、及びサーバ側通信部を含み、前記ユーザー端末は、画面保存部、入力表示部、及びユーザー側通信部を含み、前記画面保存部は、少なくともログイン画面、検索画面及び検索結果画面を保存し、前記入力表示部は、少なくともユーザーにユーザー識別コードを入力させるための前記ログイン画面を表示し、ユーザーに検索用キーワードを入力させ、かつユーザーに検索モードを表示するモード情報を選択させるための前記検索画面を表示し、前記ユーザー側通信部は、少なくとも前記検索用キーワードと前記モード情報を前記クラウドサーバに送信し、前記画像保存部は、複数の前記画像ファイル及び前記画像ファイルに対応付けられた画像ファイル属性情報を保存し、前記キーワード保存部は、前記ユーザー識別コード、前記所定のキーワード及び前記画像ファイル属性情報を対応付けて予め保存し、前記サーバ側通信部は、前記ユーザー端末から少なくとも前記検索用キーワードと前記モード情報を受信し、前記検索部は、前記ユーザー識別コードと前記検索用キーワードによって対応付けられた前記所定のキーワードを検索して検索結果が得られる第一検索モードと、前記検索用キーワードのみによって対応付けられた前記所定のキーワードを検索して検索結果が得られる第二検索モードと、を有し、前記サーバ側通信部が前記モード情報を受信すると、前記検索部は、前記モード情報によって前記第一検索モードと前記第二検索モードの中の一つを用いて検索を行い、前記検索結果が得られ、
前記ユーザー側通信部は、前記クラウドサーバから前記検出結果を受信し、前記入力表示部は、前記検索結果を含む前記検索結果画面を表示する、画像保存検索システムを提供する。
【０００９】
＜構造２＞
本発明は、所定のキーワードを付加した画像ファイルを保存し、前記所定のキーワードに基づいて前記画像ファイルに対して検索を行う画像保存検索システムにおいて、前記画像ファイルを保存するのに用いるクラウドサーバ、及びインターネットを介して各々前記クラウドサーバと通信接続する複数のユーザー端末を含み、前記クラウドサーバは、画像保存部、キーワード保存部、検索部とサーバ側通信部を含み、前記ユーザー端末は、画面保存部、入力表示部とユーザー側通信部を含み、前記画面保存部は、少なくともログイン画面、検索画面及び検索結果画面を保存し、前記入力表示部は、少なくともユーザーにユーザー識別コードを入力させるための前記ログイン画面を表示し、ユーザーに検索用キーワードを入力させ、かつユーザーに検索モードを表すモード情報を選択させるための前記検索画面を表示し、前記ユーザー側通信部は、少なくとも前記検索用キーワードと前記モード情報を前記クラウドサーバに送信し、前記画像保存部は、複数の画像ファイル及び前記画像ファイルに対応付けられた画像ファイル属性情報を保存し、前記キーワード保存部は、前記ユーザー識別コード、前記所定のキーワード、前記検索モードに関して所定のキーワード類別を表すキーワード類別標識、及び前記画像ファイル属性情報を対応付けて予め保存し、前記サーバ側通信部は、前記ユーザー端末から少なくとも前記検索用キーワードと前記モード情報を受信し、前記検索部は、少なくとも前記モード情報と前記検索用キーワードによって前記キーワード保存部に対して検索を行い、前記検索用キーワードと一致する前記所定のキーワードの存在有無を判断して検索結果が得られ、前記ユーザー側通信部は、前記クラウドサーバから前記検索結果を受信し、前記入力表示部は、前記検索結果を含む前記検索結果画面を表示することを特徴とする、画像保存検索システムを提供する。
【００１０】
よって、本発明の画像保存検索システムでは、画像ファイルの所定のキーワードに対して様々な検索モードを設定しているため、ユーザーは自分に適した検索モードを選択して検索を行いやすく、検索精度の向上と検索時間の節約に役立つ。
【図面の簡単な説明】
【００１１】
【図１】本発明実施例１の画像保存検索システムのブロック図である。
【図２】本発明実施例１のクラウドサーバのブロック図である。
【図３】本発明実施例１のユーザー端末のブロック図である。
【図４】本発明実施例１のキーワード対応関係表の概念図である。
【図５】本発明実施例１のログイン画面の概念図である。
【図６】本発明実施例１の検索画面の概念図である。
【図７】本発明実施例１の検索対象選択ボックスの概念図である。
【図８】本発明実施例１の検索モード選択ボックスの概念図である。
【図９】本発明実施例１で第一検索モードを使用して検索後に得た検索結果画面の概念図である。
【図１０】本発明実施例１で第二検索モードを使用して検索後に得た検索結果画面の概念図である。
【図１１】本発明実施例１の検索フローチャートである。
【図１２】本発明実施例１のファイル表示画面の概念図である。
【図１３】本発明実施例１の画像ファイル表示フローチャートである。
【図１４】本発明実施例１の所定のキーワードの入力付加フローチャートである。
【図１５】本発明実施例１の所定のキーワードの文字認識入力付加フローチャートである。
【図１６】本発明実施例２の画像保存検索システムのブロック図である。
【図１７】本発明実施例２のクラウドサーバのブロック図である。
【図１８】本発明実施例２のユーザー端末のブロック図である。
【図１９】本発明実施例２の共有キーワード対応関係表の概念図である。
【図２０】本発明実施例２のログイン画面の概念図である。
【図２１】本発明実施例２の検索画面の概念図である。
【図２２】本発明実施例２の検索対象選択ボックスの概念図である。
【図２３】本発明実施例２の検索モード選択ボックスの概念図である。
【図２４】本発明実施例２の個人検索モードを用いて得られる検索結果画面の概念図である。
【図２５】本発明実施例２の共有検索モードを用いて得られる検索結果画面の概念図である。
【図２６】本発明実施例２の全部検索モードを用いて得られる検索結果画面の概念図である。
【図２７】本発明実施例２の検索フローチャートである。
【図２８】本発明実施例２の所定のキーワードの付加フローチャートである。
【図２９】本発明実施例２のエリア選択提示エリアの概念図である。
【図３０】本発明実施例２の文字識別提示画面の概念図である。
【図３１】本発明実施例２の文字識別画面の概念図である。
【図３２】本発明実施例２の所定のキーワード入力画面の概念図である。
【発明を実施するための形態】
【００１２】
以下、図面を組み合わせて本発明に係る画像保存検索システムの実施例について詳しく説明する。
【００１３】
下記の第一実施例では、所定のキーワードを付加した画像ファイルを保存し、所定のキーワードに基づいて画像ファイルに対して検索を行う画像保存検索システムを提供する。該画像保存検索システムは、画像ファイルを保存するのに用いるクラウドサーバ、そしてインターネットを介してそれぞれクラウドサーバと通信接続する複数のユーザー端末を含み、クラウドサーバは画像保存部、キーワード保存部、検索部とサーバ側通信部を含み、ユーザー端末は画面保存部、入力表示部とユーザー側通信部を含む。該画像保存検索システムでは、画面保存部は少なくともログイン画面、検索画面及び検索結果画面を保存し、入力表示部は少なくともユーザーがユーザー識別コードを入力させるログイン画面を表示し、ユーザーが検索用キーワードを入力させ、かつユーザーが検索モードを表示するモード情報を選択させる検索画面を表示し、ユーザー側通信部は少なくとも検索用キーワードとモード情報をクラウドサーバに送信し、画像保存部は複数の画像ファイル及び画像ファイルに対応付けられた画像ファイル属性情報を保存し、キーワード保存部はユーザー識別コード、所定のキーワード及び画像ファイル属性情報を対応付けて予め保存し、サーバ側通信部はユーザー端末から少なくとも検索用キーワードとモード情報を受信し、検索部は前記ユーザー識別コードと検索用キーワードによって対応する所定のキーワードを検索して検索結果が得られる第一検索モード、そして検索用キーワードのみによって対応する所定のキーワードを検索して検索得結果が得られる第二検索モードを有し、サーバ側通信部が前記モード情報を受信したとき、検索部はモード情報によって第一検索モードと第二検索モードの中の一つを用いて検索を行い、検索結果が得られ、ユーザー側通信部はクラウドサーバから検出結果を受信し、入力表示部は検索結果を含む検索結果画面を表示する。
【００１４】
この第一実施例の画像保存検索システムでは、モード情報は第一検索モードと第二検索モードの中の一つを表示し、第一検索モードは検索を求めるユーザーが作成した所定のキーワードについてのみ検索を行う個人検索モードであり、第二検索モードは全てのユーザーが作成した所定のキーワードについて検索を行う全部検索モードであり、モード情報が個人検索モードと表示したとき、ユーザー側通信部はユーザー識別コードをクラウドサーバに送信し、検索部はユーザー識別コードに基づいて検索用キーワードと一致する既定キーワードについて検索を行い、モード情報が全部検索モードと表示したとき、検索部は検索用キーワードと一致する所定のキーワードについて全て検索を行う。
【００１５】
また、第一実施例の画像保存検索システムでは、検索部が検索用キーワードと一致する所定のキーワードを検索後、検索部は所定のキーワードに対応付けられた画像ファイル属性情報が得られ、画像ファイル属性情報を含む検索結果を生成し、ユーザー端末に送信する。
【００１６】
また、第一実施例の画像保存検索システムでは、画像保存部はさらに画像ファイル表示画面を保存し、ユーザーが検索結果画面からいずれか一つの画像ファイル属性情報を選択後、ユーザー側通信部はクラウドサーバに選択された画像ファイル属性情報及び画像ファイル要求情報を送信し、検索部は画像ファイル要求情報及び画像ファイル属性情報によって画像保存部に対して検索を行い、対応する画像ファイルが得られ、サーバ側通信部は画像ファイルをユーザー端末に送信し、入力表示部は画像ファイルを含む画像ファイル表示画面を表示する。
【００１７】
また、第一実施例の画像保存検索システムでは、ユーザー端末はさらに所定のキーワード付加部を含み、画像ファイル表示画面はキーワード付加キーを含み、ユーザーがキーワード付加キーを選択したとき、所定のキーワード付加部は入力表示部を介してユーザーが新たな所定のキーワードを付加させ、ユーザー側通信部はクラウドサーバに新たに付加された所定のキーワード及び対応するユーザー識別コード、画像ファイルに対応付けられた画像ファイル属性情報を送信し、キーワード保存部はユーザー識別コード、新たに付加された所定のキーワード及び画像ファイル属性情報を対応づけて追加保存する。
【００１８】
さらに、第一実施例の画像保存検索システムでは、ユーザー端末はさらに文字認識部を含み、画像ファイル表示画面はさらに文字認識キーを有し、所定のキーワード付加部は入力表示部を介してユーザーが新たな所定のキーワードの付加に関する指定エリアを入力させ、ユーザーが文字認識キーを選択したとき、文字認識部は指定エリア内の画像データに対して文字認識を行い、対応するエリア文字が得られ、所定のキーワード付加部は入力表示部を介して新たな所定のキーワードを付加するとき、ユーザーがエリア文字を使用して選択させる。
【００１９】
下記の第二実施例では、所定のキーワードを付加した画像ファイルを保存し、前記所定のキーワードに基づいて画像ファイルに対して検索を行う画像保存検索システムを提供する。該画像保存検索システムでは、画像ファイルを保存するのに用いるクラウドサーバ、そしてインターネットを介してそれぞれクラウドサーバと通信接続する複数のユーザー端末を含み、クラウドサーバは画像保存部、キーワード保存部、検索部とサーバ側通信部を含み、ユーザー端末は画面保存部、入力表示部とユーザー側通信部を含む。該画像保存検索システムでは、画面保存部は少なくともログイン画面、検索画面及び検索結果画面を保存し、入力表示部は少なくともユーザーがユーザー識別コードを入力させるログイン画面を表示し、ユーザーが検索用キーワードを入力させ、かつユーザーが検索モードを表示するモード情報を選択させる検索画面を表示し、ユーザー側通信部は少なくとも検索用キーワードとモード情報をクラウドサーバに送信し、画像保存部は複数の画像ファイル及び画像ファイルに対応付けられた画像ファイル属性情報を保存し、キーワード保存部はユーザー識別コード、所定のキーワード、前記検索モードに関して所定のキーワード類別を表示するキーワード類別標識、そして画像ファイル属性情報を対応付けて予め保存し、サーバ側通信部はユーザー端末から少なくとも検索用キーワードとモード情報を受信し、検索部は少なくともモード情報と検索用キーワードによってキーワード保存部に対して検索を行い、検索用キーワードと一致する所定のキーワードがあるかどうか判断して検索結果が得られ、ユーザー側通信部はクラウドサーバから検索結果を受信し、入力表示部は検索結果を含む検索結果画面を表示する。
【００２０】
また、第二実施例の画像保存検索システムでは、モード情報は、検索を求めるユーザーが作成した個人型の所定のキーワードについてのみ検索を行う個人検索モード、全てのユーザーが共有できる共有型の所定のキーワードについて検索を行う共有検索モード、そして個人型と共有型の所定のキーワードについて全て検索を行う全部検索モードの中の一つを表示し、キーワード類別標識は、個人型及び共有型の中の一つを表示し、モード情報が個人検索モードと表示したとき、ユーザー側通信部はユーザー識別コードをクラウドサーバに送信し、検索部はユーザー識別コードによってキーワード類別を個人型とし、かつ検索用キーワードと一致する所定のキーワードについて検索を行い、モード情報が共有検索モードと表示したとき、検索部はキーワード類別を共有型とし、かつ検索用キーワードと一致する所定のキーワードについて検索を行い、モード情報が全部検索モードと表示したとき、検索部は検索用キーワードと一致する所定のキーワードについて全て検索を行う。
【００２１】
また、第二実施例の画像保存検索システムでは、検索部が検索用キーワードと一致する所定のキーワードを検索後、検索部が所定のキーワードに対応付けられた画像ファイル属性情報が得られ、画像ファイル属性情報を含む検索結果を生成し、ユーザー端末に送信する。
また、第二実施例の画像保存検索システムでは、画面保存部はさらに画像ファイル表示画面を保存し、ユーザーが検索結果画面からいずれか一つの画像ファイル属性情報を選択後、ユーザー側通信部はクラウドサーバに選択された画像ファイル属性情報及び画像ファイル要求情報を送信し、検索部は画像ファイル要求情報及び画像ファイル属性情報によって画像保存部に対して検索を行い、画像ファイルが得られ、サーバ側通信部は画像ファイルをユーザー端末に送信し、入力表示部は画像ファイルを含む画像ファイル表示画面を表示する。
【００２２】
また、第二実施例の画像保存検索システムでは、ユーザー端末はさらに所定のキーワード付加部を含み、画像ファイル表示画面は所定のキーワード付加キーを有し、ユーザーが所定のキーワード付加キーを選択したとき、所定のキーワード付加部は表示画面を介してユーザーが新たな所定のキーワード及び対応するキーワード類別標識を付加させ、ユーザー側通信部はクラウドサーバに新たに付加された所定のキーワード、キーワード類別標識及び対応するユーザー識別コード、画像ファイルに対応付けられた画像ファイル属性情報を送信し、キーワード保存部はユーザー識別コード、新たに付加された所定のキーワード及び画像ファイル属性情報を対応づけて追加保存する。
【００２３】
さらに、第二実施例の画像保存検索システムでは、ユーザー端末はさらに文字認識部を含み、画像ファイル表示画面はさらに文字認識キーを有し、所定のキーワード付加部は入力表示部を介してユーザーが新たな所定のキーワードの付加に関する指定エリアを入力させ、ユーザーが文字認識キーを選択したとき、文字認識部が指定エリア内の画像データに対して文字認識を行い、対応するエリア文字が得られ、所定のキーワード付加部は入力表示部を介して新たな所定のキーワードを付加するとき、ユーザーがエリア文字を使用して選択させる。
【実施例１】
【００２４】
図１は本発明実施例１の画像保存検索システムのブロック図である。
【００２５】
図１に示すように、画像保存検索システム１は既存キーワードがすでにある画像ファイルを保存するのに用い、所定のキーワードに基づいて画像ファイルに対して検索を行い、クラウドサーバ３と複数のユーザー端末５を含む。スキャナー２はクラウドサーバ３と通信接続し、紙文書をスキャンして画像ファイルにした後、クラウドサーバ３に送信するのに用いる。インターネット４はクラウドサーバ３と各ユーザー端末５が互いに通信し、データ情報を伝送、交換できるようにする。
【００２６】
図２は、本発明実施例１のクラウドサーバのブロック図である。
【００２７】
図２に示すように、クラウドサーバ３はサーバ側制御部１１、画像保存部６、キーワード保存部７、検索部９、サーバ側通信部１０、サーバ側一時保存部３８及びその他の部を含む。
【００２８】
図３は、本発明実施例１のユーザー端末のブロック図である。
【００２９】
図３に示すように、各ユーザー端末５はユーザー側制御部１４、画面保存部１２、入力表示部１３、ユーザー側通信部１５、文字認識部３６、ユーザー側一時保存部４１、所定のキーワード付加部４３及びその他の部を含む。
【００３０】
画像保存部６は、複数の画像ファイル及び画像ファイルに対応付けられた画像ファイル属性情報を保存するのに用いる。画像ファイルのフォーマットは写真形式とする。画像ファイル属性情報はファイル番号、ファイル名、作者、作成日、ファイルページ数、ファイル保存位置、調査回数、ファイル源及びファイルサイズなどの情報を含む。
【００３１】
画面保存部１２は、ログイン画面、検索画面、検索結果画面、画像ファイル表示画面を保存する。
【００３２】
キーワード保存部７は、ユーザー識別コード、所定のキーワード及び画像ファイル属性情報を対応付けて予め保存しておくのに用いる。即ち、キーワード保存部７はキーワード対応関係表を保存している。
【００３３】
図４は、本発明実施例１のキーワード対応関係表の概念図である。
【００３４】
図４に示すように、キーワード対応関係表３９はユーザー識別コード、所定のキーワード及び画像ファイル属性情報の対応関係を保存している。検索時、検索用キーワードによって、検索用キーワードと一致する所定のキーワードを探し出し、再び所定のキーワードによってキーワード対応関係表３９から所定のキーワードと一致する画像ファイル属性情報が得られ、それから画像ファイル属性情報によってユーザーの必要とする画像ファイルを探し出す。
【００３５】
入力表示部１３は、ログイン画面、検索画面、検索結果画面、画像ファイル表示画面、キーワード付加画面、文字認識提示画面、文字認識画面及びその他の画面を表示し、ユーザーがデータを入力または各種選択させるのに用いる。
【００３６】
図５は、本発明実施例１のログイン画面の概念図である。
【００３７】
図５に示すように、ユーザーが画像ファイルの検索を必要とするとき、ユーザー側制御部１４は画面保存部１２からログイン画面１６を呼び出し、また入力表示部１３に表示する。ログイン画面１６はユーザーがユーザー識別コードを入力させるのに用いる。
【００３８】
ログイン画面１６は「あなたのユーザー識別コードを入力してください」という指示句を有し、登録を行うためにユーザーがユーザー識別コードを入力するよう示す。ログイン画面１６はさらにユーザー識別コード入力ボックス１９を有し、ユーザーがユーザー識別コード入力ボックス１９にユーザー識別コードを入力させる。
【００３９】
また、該ログイン画面１６はさらに「ログイン」ボタン、「終了」ボタン、「登録」ボタンを有する。ユーザーが正確なユーザー識別コードを入力し、「ログイン」ボタンを選択した後、次に進む。ユーザー識別コードの入力が間違っている場合、「あなたの入力したユーザー識別コードは間違っています。もう一度あなたのユーザー識別コードを入力するか新たにユーザー識別コードを登録してください」という指示句を表示する。
【００４０】
ユーザーが「終了」ボタンをクリックした場合、画像保存検索システム１を終了し、検索過程を終了する。ユーザーがユーザー識別コードを持っていない場合、「登録」ボタンをクリックし、ユーザーＩＤ、ユーザー名、作者及びパスワードなどのユーザー識別情報を入力後、新たなユーザー識別コードを取得できる。「作者」情報はユーザー識別コードと一対一の対応関係にある。
【００４１】
該ログイン画面１６は「ユーザー識別コードを忘れた場合」ボタンを設定でき、ユーザーが自分のユーザー識別コードを忘れた場合、「ユーザー識別コードを忘れた場合」ボタンを選択し、登録時に記入したユーザー識別情報に基づいてユーザー識別コードを取り戻す。
【００４２】
図６は本発明実施例１の検索画面の概念図である。
【００４３】
ユーザーが正確なユーザー識別コードを入力し、「ログイン」ボタンを選択後、検索画面に入ることができる。図６に示すように、検索画面１７は、ユーザーが検索用キーワードを入力し、モード情報を選択させる。モード情報は、第一検索モードと第二検索モードの中の一つを表示する。検索画面１７は、検索用キーワード入力ボックス２０、検索対象選択ボックス２１、検索モード選択ボックス２２、画像ファイル属性情報表示エリア２３及び「捜索」ボタンを含む。
【００４４】
検索用キーワード入力ボックス２０は、ユーザーが自分の必要性によって検索用キーワードを入力させる。
【００４５】
図７は本発明実施例１の検索対象選択ボックスの概念図である。
【００４６】
検索対象選択ボックス２１はユーザーに選択する検索対象を提供するのに用いる。図７に示すように、検索対象は「ファイル名検索」と「キーワード検索」を含む。ユーザーが「ファイル名検索」を選択したとき、ユーザーが入力する検索用キーワードはファイル名とされて検索を行う。本実施例では「キーワード検索」を選択する。
【００４７】
図８は本発明実施例１の検索モード選択ボックスの概念図である。
【００４８】
図８に示すように、検索モード選択ボックス２２はユーザーに選択する検索モードを提供するのに用いる。検索モードは第一検索モードと第二検索モードを含む。検索部９は第一検索モードを用いて検索を行うことも、第二検索モードを用いて検索を行うこともできる。
【００４９】
第一検索モードは、ユーザー識別コードと検索用キーワードから対応する所定のキーワードを検索して検索結果が得られる。即ち、第一検索モードは検索を求めるユーザーが作成した所定のキーワードについてのみ検索を行う個人検索モードである。ユーザーが検索モード選択ボックス２２で「個人」を選んだとき、検索部９は第一検索モードを用いて検索を行う。
【００５０】
第二検索モードは検索用キーワードからのみ対応する規定キーワードを検索して検索結果が得られ、即ち第二検索モードは全てのユーザーが作成した所定のキーワードについて検索を行う全部検索モードである、ユーザーが検索モード選択ボックス２２で「全部」を選んだとき、検索部９は第二検索モードを用いて検索を行う。
【００５１】
画像ファイル属性情報表示エリア２３は画像保存部６に保存した画像ファイル属性情報及びキーワード保存部７に保存した画像ファイル属性情報に対応付けられた所定のキーワード、キーワード調査回数などの情報を表示するのに用いる。ユーザーが検索用キーワードを入力し、検索対象選択ボックス２１と検索モード選択ボックス２２で選択を行った後、「捜索」ボタンをクリックすると検索プロセスが始まり、検索結果が得られる。
【００５２】
ユーザー側通信部１５はユーザー端末５の各構成要素間及びユーザー端末５とクラウドサーバ３間のデータ情報交換を担当する。例えば、ユーザー側通信部１５は検索用キーワードとモード情報をクラウドサーバ３に送信し、クラウドサーバ３から検索結果を受信し、入力表示部１３に送信して表示する。
【００５３】
サーバ側通信部１０はクラウドサーバ３の各構成要素間及びクラウドサーバ３とユーザー端末５間のデータ情報交換を担当する。例えば、サーバ側通信部１０はユーザー端末５が送信した検索用キーワードと検索モードなどのモード情報を受信し、検索部９に送信し、検索部９から検索結果を受信し、ユーザー端末５に送信する。
【００５４】
ユーザー側一時保存部４１はユーザー端末５の各構成要素間及びユーザー端末５とクラウドサーバ３間でやりとりされているデータ情報を一時保存するのに用いる。
【００５５】
サーバ側一時保存部３８はクラウドサーバ３の各構成要素間及びクラウドサーバ３とユーザー端末５間でやりとりされているデータ情報、例えばユーザー端末５が送信した検索用キーワードと検索モードなどのモード情報を一時保存するのに用いる。
【００５６】
ユーザー側制御部１４は入力表示部１３が伝送したデータ情報の受信を担当する、該データ情報によって画面保存部１２、入力表示部１３、ユーザー側通信部１５などのユーザー端末５の各構成要素の作業を制御、調整する。
【００５７】
サーバ側制御部１１は、ユーザー端末５が送信したデータ情報の受信を担当する、該データ情報に基づいて画像保存部６、共有キーワード保存部７、個人キーワード保存部８、検索部９、サーバ側通信部１０などクラウドサーバ３の各構成要素の作業を制御、調整する。
【００５８】
次に検索のプロセスを説明する。
【００５９】
画像保存部６に保存した画像ファイルのうち、二つの画像ファイルの所定のキーワードを「授権書」とし、この二つの画像ファイル名をそれぞれ「作文．ｊｐｇ」及び「会話．ｐｄｆ」とする。
【００６０】
入力表示部１３に表示した検索画面１７で、ユーザーは検索用キーワード入力ボックス２０に検索用キーワード「授権書」を入力し、検索対象選択ボックス２１で「キーワード検索」を選択し、検索モード選択ボックス２２で「個人」を選択し、それから「捜索」ボタンをクリックする。検索終了後、入力表示部１３は検索結果画面１８を表示する。
【００６１】
図９は本発明実施例１で第一検索モードを使用して検索後に得た検索結果画面の概念図である。
【００６２】
図９に示すように、検索結果画面１８は検索結果表示エリア２４を有し、検索結果表示エリア２４はファイル番号、ファイル名、作者、作成日などの画像ファイル属性情報を表示し、さらに画像ファイル属性情報に対応付けられた所定のキーワードとユーザー識別コードなどの情報を表示する。
【００６３】
「会話．ｐｄｆ」の所定のキーワード「授権書」は、該ファイル「会話．  ｐｄｆ」内に多数の所定のキーワードを含んでいることを示す。「作文．ｊｐｇ」の所定のキーワード「授権書」は、該ファイル「作文．ｊｐｇ」内に「授権書」というこの所定のキーワードしか含んでいないことを示す。
【００６４】
第一検索モードを使用して検索後、検索結果画面１８は検索用キーワードと一致する検索を求めるユーザーが作成した所定のキーワード、該所定のキーワードに対応付けられたユーザー識別コードと画像ファイル属性情報を表示する。
【００６５】
図１０は本発明実施例１で第二検索モードを使用して検索後に得た検索結果画面の概念図である。
【００６６】
図１０に示すように、第二検索方法を使用して検索後、検索結果画面１８は検索用キーワードと一致する所定のキーワード、該所定のキーワードに対応付けられたユーザー識別コードと画像ファイル属性情報を表示する。
【００６７】
次にフローチャートを組み合わせて検索プロセスを詳しく説明する。
【００６８】
図１１は、本発明実施例１の検索フローチャートである。
【００６９】
ステップＳ１−１で：
ユーザー側制御部１４は画面保存部１２に保存したログイン画面１６を呼び出して入力表示部１３に表示し、ユーザーは指示によってユーザー識別コード入力ボックス１９にユーザー識別コードを入力し、「ログイン」ボタンをクリックする。
【００７０】
ステップＳ１−２で：
ユーザー側制御部１４は画面保存部１２に保存した検索画面１７を呼び出して入力表示部１３に表示し、ユーザーは検索用キーワード入力ボックス２０に検索用キーワードを入力し、検索対象選択ボックス２１で検索対象として「キーワード検索」を選択する。
【００７１】
ステップＳ１−３で：
ユーザーは検索モード選択ボックス２２内で検索モードとして「個人」または「全部」を選択する。ユーザーが検索モードとして「個人」と選んだとき、ステップＳ１−４に進む。ユーザーが検索モードとして「全部」と選んだとき、ステップＳ１−７に進む。
【００７２】
ステップＳ１−４で：
ユーザーが検索モードとして「個人」を選択後、「捜索」ボタンを選択し、ユーザー側制御部１４がユーザー側通信部１５を介して検索用キーワードを、個人検索モードのモード情報及びユーザー識別コードなどの情報としてクラウドサーバ３に送信する。
【００７３】
ステップＳ１−５で：
サーバ側制御部１１がサーバ側通信部１０を介して検索用キーワードを、個人検索モードのモード情報及びユーザー識別コードなど情報としてユーザー側一時保存部４１に保存し、検索部９はユーザー側一時保存部４１からモード情報を読み取り、検索用キーワードによってユーザー識別コードに対応し、かつ検索用キーワードと一致する所定のキーワードについて検索を行う。
【００７４】
検索部９が検索用キーワードと一致する所定のキーワードを検索後、検索部９はキーワード対応関係表３９の中から所定のキーワードに対応付けられた画像ファイル属性情報が得られ、該画像ファイル属性情報を含む検索結果を生成する。
【００７５】
検索部９が検索用キーワードと一致する所定のキーワードを検索して出てこなかったとき、検索部９は所定のキーワードが存在していないことを示す検索結果を生成する。
【００７６】
ステップＳ１−６で：
ユーザーが検索モードとして「全部」を選択後、「捜索」ボタンを選択し、ユーザー側制御部１４がユーザー側通信部１５を介して検索用キーワードを、全部検索モードのモード情報などの情報としてクラウドサーバ３に送信する。
【００７７】
ステップＳ１−７で：
サーバ側制御部１１がサーバ側通信部１０を介して検索用キーワードを、全部検索モードのモード情報などの情報としてユーザー側一時保存部４１に保存し、検索部９がユーザー側一時保存部４１からモード情報を読み取り、検索用キーワードによって検索用キーワードと一致する全所定のキーワードについて検索を行う。
【００７８】
検索部９が検索用キーワードと一致する所定のキーワードを検出後、検索部９はキーワード対応関係表３９から所定のキーワードに対応付けられた画像ファイル属性情報が得られ、該画像ファイル属性情報を含む検索結果を生成してユーザー端末５に送信する。
【００７９】
検索部９が検索用キーワードと一致する所定のキーワードを検索して出てこなかったとき、検索部は所定のキーワードが存在していないことを示す検索結果を生成し、ユーザー端末５に送信する。
【００８０】
ステップＳ１−８で：
ユーザー側制御１４がユーザー側通信部１５を介して検索結果を受信し、画面保存部６に保存している検索結果画面１８を読み取り、入力表示部１３に検索結果を含む検索結果画面１８を表示する。
【００８１】
ここまでで一回の検索動作が完了する。
【００８２】
ユーザーが前記検索結果のある画像ファイルを調べたいとき、検索結果画面１８でいずれか一つの画像ファイル属性情報を選択すればよい。例えば、ユーザーが「会話．ｐｄｆ」を調べたければ、「会話．ｐｄｆ」のいずれか一つの画像ファイル属性情報を選択する。選択終了後、入力表示部１３が画像ファイル表示画面を表示する。
【００８３】
図１２は本発明実施例１のファイル表示画面の概念図である。
【００８４】
図１２に示すように、画像ファイル表示画面２５はファイル名表示エリア２６、キーワード付加キー２７、キーワード表示エリア２８、画像ファイル表示エリア２９及びその他のエリアを含む。
【００８５】
ファイル名表示エリア２６は、ユーザーが調べたい画像ファイルの名称を表示するのに用いる。
【００８６】
画像ファイル表示エリア２９は、ユーザーが調べたい画像ファイルの内容を表示するのに用い、キーワード表示エリア３１、キーワードページ番号表示エリア３２及びスクロールバー３０などを含む。キーワード表示エリア３１は画像ファイルに存在する所定のキーワードを表示するのに用いる。検索用キーワードと一致する所定のキーワードはその他の所定のキーワードの表示方式と異なり、ユーザーに該所定のキーワードをユーザーが捜索済みのキーワードとして示す。該所定のキーワードは色を変える、枠を太くする、ハイライト表示などの表示方式で、その他所定のキーワードと区別する。キーワードページ番号表示エリア３２は検索用キーワードと一致する所定のキーワードの画像ファイル内での位置を表示するのに用い、該所定のキーワードのあるページ番号はその他ページ番号の表示方式と異なり、ユーザーに該ページ番号をユーザーが得られたいキーワードのあるページ番号として示す。スクロールバー３０はユーザーが画像ファイルの表示エリアを調節させる。
【００８７】
キーワード表示エリア２８は、該画像ファイルの所定のキーワードの情報を表示するのに用い、所定のキーワードの作者、所定のキーワードの内容、構築日及び所定のキーワードの調査回数などの情報を含む。
【００８８】
キーワード表示エリア２８はさらにユーザーが所定のキーワードに対して修正を行いやすいように、「削除」ボタンと「編集」ボタンを有している。しかし、「削除」ボタンと「編集」ボタンは、ユーザー識別コードに対応付けられた所定のキーワードに対応づけて設定してあるため、該所定のキーワードを作成したユーザーだけが自分の設定した所定のキーワードを修正でき、他のユーザーが設定した所定のキーワードを修正することはできない。
【００８９】
次にフローチャートを組み合わせて、画像ファイル表示のプロセスを詳しく説明する。
【００９０】
図１３は本発明実施例１の画像ファイル表示フローチャートである。
【００９１】
ステップＳ２−１で：
ユーザーは検索結果画面１８でいずれか一つの画像ファイル属性情報を選択する。例えば、ファイル名を選択すると、ユーザー側通信部１５はクラウドサーバ３に選択された画像ファイル属性情報及び画像ファイル要求情報を送信する。
【００９２】
ステップＳ２−２で：
検索部９は画像ファイル要求情報及び画像ファイル属性情報によって画像保存部６に対して検索を行い対応する画像ファイルが得られる。
【００９３】
ステップＳ２−３で：
サーバ側制御部１１はサーバ側通信部１０を介して該画像ファイルをユーザー端末５に送信する。
【００９４】
ステップＳ２−４で：
ユーザー側制御部１４は画面保存部１２に保存した画像ファイル表示画面２５を呼び出し、入力表示部１３に該画像ファイルを含む画像ファイル表示画面２５を表示する。
【００９５】
ここまでで、一回の画像ファイルの表示プロセスが完了する。
【００９６】
また、本実施例では、このような機能、即ち、画像ファイル表示画面がキーワード付加キーを含む、ユーザーがキーワード付加キーを選択したとき、所定のキーワード付加部が入力表示部を介してユーザーが新たな所定のキーワードを付加させ、ユーザー側通信部がクラウドサーバに新たに付加された所定のキーワード及び対応するユーザー識別コード、画像ファイルに対応付けられた画像ファイル属性情報を送信し、キーワード保存部がユーザー識別コード、新たに付加された所定のキーワード及び画像ファイル属性情報を対応づけて追加保存することを実現できる。
【００９７】
さらに、本実施例では、画像ファイル表示画面が文字認識キーを含み、所定のキーワード付加部が入力表示部を介してユーザーが新たな所定のキーワードの付加に関する指定エリアを入力させ、ユーザーが文字認識キーを選択したとき、文字認識部は指定エリア内の画像データに対して文字認識を行い、対応するエリア文字が得られ、所定のキーワード付加部は、入力表示部を介して新たな所定のキーワードを付加するとき、ユーザーがエリア文字を使用して選択させる。
【００９８】
次にフローチャートを組み合わせて所定のキーワードの付加プロセスを詳しく説明する。即ち、次に所定のキーワード付加部４３とキーワード付加キー２７は画像ファイルに新たな所定のキーワードを付加するのに用いる動作のことを詳しく説明する。
【００９９】
図１４は本発明実施例１の所定のキーワードの入力付加フローチャートである。
【０１００】
ステップＳ３−１で：
ユーザーが入力を介して画像ファイルに新たなキーワードを付加しなければならないとき、入力表示部１３はユーザーが画像ファイル表示画面２５内のキーワード付加キー２７を選択させ、所定のキーワード付加部４３が入力表示部１３を介してユーザーが新たな所定のキーワードを入力させる。
【０１０１】
ステップＳ３−２で：
ユーザー側通信部１５がクラウドサーバ３に新たに付加された所定のキーワード及び対応するユーザー識別コード、画像ファイルに対応付けられた画像ファイル属性情報を送信する。
【０１０２】
ステップＳ３−３で：
キーワード保存部７がユーザー識別コード、新たに付加された所定のキーワード及び画像ファイル属性情報を対応づけて追加保存する。
【０１０３】
ここまでで、一回新たな所定のキーワードの入力付加プロセスが完了する。
【０１０４】
また、本発明では、画像ファイル表示画面２５はさらに文字認識キーを含み、同時に、ユーザー端末５はユーザーが文字認識キーの選択後に文字認識部３６の採用を介して、文字認識入力の方法で画像ファイルに新たな所定のキーワードを付加させる。
【０１０５】
図１５は本発明実施例１の所定のキーワードの文字認識入力付加フローチャートである。
【０１０６】
ステップＳ４−１で：
ユーザーが文字認識入力を介して画像ファイルに新たな所定のキーワードを付加するとき、所定のキーワード付加部４３は入力表示部１３を介してユーザーが新たな所定のキーワードの付加に関する指定エリアを入力させる。
【０１０７】
ステップＳ４−２で：
ユーザーが文字認識キー４４を選択し、文字認識部３６が指定エリア内の画像データに対して文字認識を行い、対応するエリア文字が得られ、所定のキーワード付加部４３は入力表示部１３を介してユーザーがエリア文字を使用して選択させ、該エリア文字を新たに付加する所定のキーワードとする。
【０１０８】
ステップＳ４−３で：
ユーザー側通信部１５がクラウドサーバ３に新たに付加した所定のキーワード及び対応するユーザー識別コード、画像ファイルに対応付けられた画像ファイル属性情報を送信する。
【０１０９】
ステップＳ４−４で：
キーワード保存部７がユーザー識別コード、新たに付加した所定のキーワード及び画像ファイル属性情報を対応づけて追加保存する。
【０１１０】
ここまでで、一回新たな所定のキーワードの文字認識入力付加プロセスが完了する。
【０１１１】
実施例１の効果
本発明画像保存検索システムでは、画像ファイルの所定のキーワードに対する検索モードが個人検索モードと全部検索モードを含むため、画像ファイルを検索するとき、必要性に応じて異なる検索モードを選択でき、それによって検索効率を向上し、検索時間を節約する。
【実施例２】
【０１１２】
図１６は本発明実施例２の画像保存検索システムのブロック図である。
【０１１３】
図１６に示すように、画像保存検索システム５０は既存キーワードがすでにある画像ファイルを保存するのに用い、所定のキーワードに基づいて画像ファイルに対して検索を行い、クラウドサーバ５２と複数のユーザー端末５４を含む。スキャナー５１はクラウドサーバ５２と通信接続し、紙文書をスキャンして画像ファイルにした後、クラウドサーバ５２に送信するのに用いる。インターネット５３はクラウドサーバ５２と各ユーザー端末５４が互いに通信し、データ情報を伝送、交換できるようにする。
【０１１４】
図１７は本発明実施例２のクラウドサーバのブロック図である。
【０１１５】
図１７に示すように、クラウドサーバ５２は、サーバ側制御部５８、画像保存部５５、キーワード保存部５６、検索部５７、サーバ側通信部５８、サーバ側一時保存部８６、所定のキーワード付加部及びその他の部を含む。
【０１１６】
図１８は本発明実施例２のユーザー端末のブロック図である。
【０１１７】
図１８に示すように、各ユーザー端末５４はユーザー側制御部６２、画面保存部６０、入力表示部６１、ユーザー側通信部６３、文字認識部８４、ユーザー側一時保存部８８、所定のキーワード付加部８９及びその他の部を含む。
【０１１８】
画像保存部５５は、複数の画像ファイル及び画像ファイルに対応付けられた画像ファイル属性情報を保存するのに用い、画像ファイル属性情報はファイル番号、ファイル名、作者、作成日、ファイルページ数、ファイル保存位置及びファイルサイズなどの情報を含む。
【０１１９】
画面保存部６０は、ログイン画面、検索画面、検索結果画面、画像ファイル表示画面、キーワード付加画面、文字識別提示画面、文字識別画面及びその他の画面を保存する。
【０１２０】
キーワード保存部５６は、ユーザー識別コード、所定のキーワード、検索モードに関する所定のキーワード類別を表すキーワード類別標識、及び画像ファイル属性情報を対応付けて予め保存しておくのに用いる。即ち、キーワード保存部５６はキーワード対応関係表８７を保存している。
【０１２１】
図１９は本発明実施例２の共有キーワード対応関係表の概念図である。
【０１２２】
図１９に示すように、キーワード対応関係表８７にはユーザー識別コード、所定のキーワード、キーワード類別と画像ファイル属性情報の対応関係を保存している。検索時、検索部は入力表示部６１が送信してきた検索モードとしてのモード情報によって検索を行う。モード情報は検索を求めるユーザーが作成した個人型の所定のキーワードについてのみ検索を行う個人検索モード、全てのユーザーが共有できる共有型の所定のキーワードについて検索を行う共有検索モード及び個人型と共有型の所定のキーワードについて全て検索を行う全部検索モードの中の一つを表示し、キーワード類別標識は個人型及び共有型の中の一つを表示する。
【０１２３】
モード情報を個人検索モードと表示するとき、ユーザー側通信部６３はユーザー識別コードをクラウドサーバに送信し、検索部５７はユーザー識別コードによってキーワード類別を個人型とし、かつ検索用キーワードと一致する所定のキーワードについて検索を行い、
モード情報を共有検索モードと表示するとき、検索部５７はキーワード類別を共有型とし、かつ検索用キーワードと一致する所定のキーワードについて検索を行い、
モード情報を全部検索モードと表示するとき、検索部５７は検索用キーワードと一致する所定のキーワードについて全て検索を行う。
【０１２４】
検索部が検索用キーワードと一致する所定のキーワードを検索後、検索部は所定のキーワードに対応付けられた画像ファイル属性情報が得られ、画像ファイル属性情報を含む検索結果を生成し、ユーザー端末に送信する。
【０１２５】
入力表示部６１はログイン画面、検索画面、検索結果画面、画像ファイル表示画面、キーワード付加画面、文字認識提示画面、文字認識画面及びその他の画面を表示するのに用いる。ログイン画面では、ユーザーはユーザー識別コードを入力できる。検索画面ではユーザーは検索用キーワードを入力し、検索範囲を表示する範囲情報を選択できる。
【０１２６】
図２０は本発明実施例２のログイン画面の概念図である。
【０１２７】
図２０に示すように、ユーザーが画像ファイルの検索を必要とするとき、ユーザー側制御部６２が画面保存部６０からログイン画面６４を呼び出して入力表示部６１に表示する。該ログイン画面６４は「あなたのユーザー識別コードを入力してください」という指示句を含み、登録を行うためにユーザーにユーザー識別コードを入力するよう示す。
【０１２８】
該ログイン画面６４はさらにユーザー識別コード入力ボックス６７を含み、ユーザーが該ユーザー識別コード入力ボックス６７にユーザー識別コードを入力させる。
【０１２９】
また、該ログイン画面６４はさらに「ログイン」ボタン、「終了」ボタン及び「登録」ボタンを有する。ユーザーがユーザー識別コードを入力し、「ログイン」ボタンをクリック後、ユーザー識別コードの入力が正確であれば次に進む。ユーザー識別コードの入力が間違っている場合、「あなたの入力したユーザー識別コードは間違っています。もう一度あなたのユーザー識別コードを入力するか、新たにユーザー識別コードを登録してください」という指示句を表示する。
【０１３０】
ユーザーが「終了」ボタンをクリックした場合、画像保存検索システム５０を終了し、検索過程を終了する。ユーザーがユーザー識別コードを持っていない場合、「登録」ボタンをクリックし、ユーザーＩＤ、ユーザー名、作者及びパスワードなどのユーザー識別情報を入力後、新たなユーザー識別コードを取得できる。「作者」情報はユーザー識別コードと一対一の対応関係にある。
【０１３１】
該ログイン画面６４は「ユーザー識別コードを忘れた場合」ボタンを設定でき、ユーザーが自分のユーザー識別コードを忘れた場合、「ユーザー識別コードを忘れた場合」ボタンを選択し、登録時に記入したユーザー識別情報に基づいてユーザー識別コードを取り戻す。
【０１３２】
図２１は本発明実施例２の検索画面の概念図である。
【０１３３】
ユーザーが正確なユーザー識別コードを入力し、「ログイン」ボタンを選択後、すぐに検索画面６５に入ることができる。図２１に示すように、検索画面６５は、検索用キーワード入力ボックス６８、検索対象選択ボックス６９、検索モード選択ボックス７０、画像ファイル属性情報表示エリア７１及び「捜索」ボタンを含む。
【０１３４】
検索用キーワード入力ボックス６８は、ユーザーが自分の必要性によって検索用キーワードを入力させる。
【０１３５】
図２２は本発明実施例２の検索対象選択ボックスの概念図である。
【０１３６】
検索対象選択ボックス６９は、ユーザーに選択する検索対象を提供するのに用いる。図２２に示すように、検索対象には「ファイル名検索」と「キーワード検索」を含む。ユーザーが「ファイル名検索」を選択したとき、ユーザーが入力する検索用キーワードはファイル名にされて検索を行う。本実施例では「キーワード検索」を選択する。
【０１３７】
図２３は本発明実施例２の検索モード選択ボックスの概念図である。
【０１３８】
検索モード選択ボックス７０はユーザーに選択する検索モードを提供するのに用いる。図２３に示すように、モード情報は、検索を求めるユーザーが作成した個人型の所定のキーワードについてのみ検索を行う個人検索モード、全てのユーザーが共有できる共有型の所定のキーワードについて検索を行う共有検索モード及び個人型と共有型の所定のキーワードについて全て検索を行う全部検索モードの中の一つを表示する。
【０１３９】
画像ファイル属性情報表示エリア７１は画像保存部５５に保存した画像ファイル属性情報及びキーワード保存部５６に保存したユーザー識別コード、所定のキーワード、検索モードに関して所定のキーワード類別を表示するキーワード類別標識、及び画像ファイル属性情報の対応関係を表示するのに用いる。所定のキーワード情報と画像ファイル属性情報は対応関係を示し、所定のキーワード、キーワード類別、キーワード調査回数などの情報を含む。
【０１４０】
ユーザーが検索用キーワードを入力し、検索対象選択ボックス６９と検索範囲選択ボックス２２で選択した後、「捜索」ボタンをクリックすれば検索過程が始まり、検索結果が得られる。
【０１４１】
ユーザー側通信部６３はユーザー端末５４とクラウドサーバ５２間のデータ情報交換を担当する。例えば、ユーザー側通信部６３が検索用キーワードと検索範囲をクラウドサーバ５２に送信し、クラウドサーバ５２から検索結果を受信し、入力表示部６１に送信して表示する。
【０１４２】
サーバ側通信部５８はクラウドサーバ５２とユーザー端末５４間のデータ情報交換を担当する。例えば、サーバ側通信部５８はユーザー側送信部６３が送信した検索用キーワードと検索範囲を受信して検索部５７に送信し、検索部５７から検索結果を受信し、ユーザー端末５４に送信する。
【０１４３】
検索部５７は少なくともモード情報と検索用キーワードによってキーワード保存部に対して検索を行い、検査キーワードと一致する所定のキーワードが存在するか判断し、検索結果が得られ、
ユーザー側制御部６２は入力表示部６１が伝送した入力指令の受信を担当し、該入力指令によって画面保存部６０、入力表示部６１、ユーザー側通信部６３などのユーザー端末５４の各構成要素の作業を制御、調整する。
【０１４４】
サーバ側制御部５９は、ユーザー端末５４が送信した指令またはデータ情報の受信を担当し、該指令またはデータ情報によって画像保存部５５、共有キーワード保存部７、個人キーワード保存部８、検索部５７、サーバ側通信部５８などクライドサーバ５２の各構成要素の作業を制御、調整する。
【０１４５】
次に検索のプロセスを説明する。
【０１４６】
画像保存部５５に保存した画像ファイルのうち、二つの画像ファイルの所定のキーワードを「授権書」とし、この二つの画像ファイル名はそれぞれ「閲読．ｐｄｆ」及び「会話．ｐｄｆ」とする。「閲読．ｐｄｆ」のキーワード類別を「個人」とし、「会話．ｐｄｆ」のキーワード類別を「共有」とする。
【０１４７】
入力表示部６１に表示した検索画面６５で、ユーザーが検索用キーワード入力ボックス６８に検索用キーワード「授権書」を入力し、検索対象選択ボックス６９で「キーワード検索」を選択し、検索範囲選択ボックス２２で「個人」を選択し、それから「捜索」ボタンをクリックする。検索終了後、入力表示部６１は検索結果画面６６を表示する。
【０１４８】
図２４は、本発明実施例２の個人検索モードを用いて得られる検索結果画面の概念図である。
【０１４９】
図２４が示すように、検索結果画面６６は検索結果表示エリア７２を有し、検索結果表示エリア７２はファイル番号、ファイル名、作者、作成日などの画像ファイル属性情報を表示し、さらに画像ファイル属性情報に対応付けられた所定のキーワード、所定のキーワード類別などのキーワード情報を表示する。「キーワード」欄の「授権書」は、該ファイル「閲読．ｐｄｆ」内に多数の所定のキーワードを含んでいることを示す。検索範囲選択ボックス２２が「個人」を選択して検索後、検索結果画面６６は「キーワード類別」を「個人」とする所定のキーワード、所定のキーワード類別、所定のキーワードの画像ファイル内の位置などキーワード情報とユーザー識別コード、及びキーワード情報とユーザー識別コードに対応付けられた画像ファイル属性情報のみを表示する。
【０１５０】
図２５は、本発明実施例２の共有検索モードを用いて得られる検索結果画面の概念図である。
【０１５１】
図２５に示すように、「キーワード」欄の「授権書」は、該ファイル「会話．ｐｄｆ」内には「授権書」というこの所定のキーワードしか含んでいないことを示す。検索モード選択ボックス７０が「共有」を選択して検索後、検索結果画面６６は「キーワード類別」を「共有」とする所定のキーワード、所定のキーワード類別、所定のキーワードの画像ファイル内の位置などキーワード情報と、及び該キーワード情報に対応付けられた画像ファイル属性情報のみを表示する。
【０１５２】
図２６は本発明実施例２の全部検索モードを用いて得られる検索結果画面の概念図である。
【０１５３】
図２６に示すように、検索モード選択ボックス７０が「全部」を選択して検索後、検索結果画面６６は「キーワード類別」を「個人」とする所定のキーワード、所定のキーワード類別、所定のキーワードの画像ファイル内の位置などキーワード情報とユーザー識別コード、及びキーワード情報とユーザー識別コードに対応付けられた画像ファイル属性情報だけでなく、「キーワード類別」を「共有」とする所定のキーワード、所定のキーワード類別、所定のキーワードの画像ファイル内の位置などキーワード情報、及び該キーワード情報に対応付けられた画像ファイル属性情報を表示する。
【０１５４】
次にフローチャートと組み合わせて検索のプロセスを詳しく説明する
図２７は本発明実施例２の検索フローチャートである。
【０１５５】
ステップＳ５−１で：
ユーザー側制御部６２が画面保存部６０に保存したログイン画面６４を呼び出して入力表示部６１に表示し、ユーザーは指示によってユーザー識別コード入力ボックス６７にユーザー識別コードを入力し、「ログイン」ボタンをクリックする。
【０１５６】
ステップＳ５−２で：
ユーザー側制御部６２は画面保存部６０に保存した検索画面１７を呼び出して入力表示部６１に表示し、ユーザーは検索用キーワード入力ボックス６８に検索用キーワードを入力し、検索対象選択ボックス６９で検索対象を「キーワード検索」と選択する。
【０１５７】
ステップＳ５−３で：
ユーザーは検索範囲選択ボックス２２内で検索モードを「個人」、「共有」、「全部」から選択する。「個人」は検索モードの個人検索モードを表し、「共有」は検索モードの共有検索モードを表し、「全部」は検索モードの全部検索モードを表す。
【０１５８】
ユーザーが検索モードとして「個人」と選んだとき、ステップＳ５−４に進む。ユーザーが検索モードとして「共有」を選んだとき、ステップＳ５−５に進む。ユーザーが検索モードとして「全部」を選んだとき、ステップＳ５−６に進む。
【０１５９】
ステップＳ５−４で：
ユーザーは検索モードとして「個人」を選択後、「捜索」ボタンを選択し、ユーザー側制御部６２がユーザー側通信部６３を介して検索用キーワードを、「キーワード検索」の検索対象情報及び「個人」の検索モードなどの検索情報としてクラウドサーバ５２に送信する。
【０１６０】
ステップＳ５−５で：
ユーザーが検索モードとして「共有」を選択後、「捜索」ボタンを選択し、ユーザー側制御部６２がユーザー側通信部６３を介して検索用キーワードを、「キーワード検索」の検索対象情報及び「共有」の検索モードなどの検索情報としてクラウドサーバ５２に送信する。
【０１６１】
ステップＳ５−６で：
ユーザーが検索モードとして「全部」を選択後、「捜索」ボタンを選択し、ユーザー側制御部６２がユーザー側通信部６３を介して検索用キーワードを、「キーワード検索」の検索対象情報及び「全部」の検索モードなどの検索情報としてクラウドサーバ５２に送信する。
【０１６２】
ステップＳ５−７で：
サーバ側制御部５９はサーバ側通信部５８を介して検索用キーワードを、「キーワード検索」の検索対象情報及び「個人」の検索モードなどの検索情報として検索部５７に送信し、それからステップＳ５−１０に進む。
【０１６３】
ステップＳ５−８で：
サーバ側制御部５９はサーバ側通信部５８を介して検索用キーワードを、「キーワード検索」の検索対象情報及び「共有」の検索モードなどの検索情報として検索部５７に送信し、それからステップＳ５−１１に進む。
【０１６４】
ステップＳ５−９で：
サーバ側制御部５９はサーバ側通信部５８を介して検索用キーワードを、「キーワード検索」の検索対象情報及び「全部」の検索モードなどの検索情報として検索部５７に送信し、それからステップＳ５−１２に進む。
【０１６５】
ステップＳ５−１０で：
ユーザー側通信部６３はさらにユーザー識別コードをクラウドサーバ５２に送信し、検索部５７はユーザー識別コードによってキーワード類別を個人型とし、かつ検索用キーワードと一致する所定のキーワードについて検索を行い、検索用キーワードと一致する所定のキーワードが存在するかどうか判断する。
【０１６６】
検索部５７が検索用キーワードと一致する所定のキーワードが存在すると検索した場合、検索部５７はキーワード対応関係表８７から所定のキーワードに対応付けられた画像ファイル属性情報が得られ、該画像ファイル属性情報を含む検索結果を生成してサーバ側通信部５８を介して入力表示部６１に送信し表示する。
【０１６７】
検索部５７が検索用キーワードと一致する所定のキーワードが存在しないと検索した場合、検索部５７は所定のキーワードが存在していないことを示す検索結果を生成し、入力表示部６１に送信し表示する。
【０１６８】
ステップＳ５−１１で：
検索部５７はキーワード類別を共有型とし、かつ検索用キーワードと一致する所定のキーワードについて検索を行い、
検索部５７が検索用キーワードと一致する所定のキーワードが存在すると検索した場合、検索部５７はキーワード対応関係表８７から所定のキーワードに対応付けられた画像ファイル属性情報が得られ、該画像ファイル属性情報を含む検索結果を生成してサーバ側通信部５８を介して入力表示部６１に送信し表示する。
【０１６９】
検索部５７が検索用キーワードと一致する所定のキーワードが存在しないと検索した場合、検索部５７は共有キーワードが存在していないことを示す検索結果を生成し、入力表示部６１に送信し表示する。
【０１７０】
ステップＳ５−１２で：
検索部５７は検索用キーワードと一致する所定のキーワードについて全て検索を行う。
【０１７１】
検索部５７が検索用キーワードと一致する所定のキーワードが存在すると検索した場合、検索部５７はキーワード対応関係表８７から所定のキーワードに対応付けられた画像ファイル属性情報が得られ、該画像ファイル属性情報を含む検索結果を生成してサーバ側通信部５８を介して入力表示部６１に送信し表示する。
【０１７２】
検索部５７が検索用キーワードと一致する共有キーワードまたは個人が存在しないと検索した場合、検索部５７は共有キーワードが存在していないことを示す検索結果を生成し、入力表示部６１に送信し表示する。
【０１７３】
ステップＳ５−１３で：
ユーザー側制御部６２はユーザー側通信部６３を介して検索結果を受信し、画面保存部６内に保存した検索結果画面６６を読み取り、入力表示部６１に検索結果を含む検索結果画面６６を表示する。
【０１７４】
ここまでで一回の検索動作が完了する。
【０１７５】
実施例２の画像表示方式及び画像取得方式は実施例と全く同じである。
キーワード付加キー７５は画像ファイルに新たな所定のキーワードを付加するのに用いる。次にフローチャートと組み合わせて所定のキーワードの付加プロセスを詳しく説明する。
【０１７６】
図２８は本発明実施例２の所定のキーワードの付加フローチャートである。
【０１７７】
ステップＳ６−１で：
ユーザーが画像ファイルに所定のキーワードを付加したいとき、ユーザーは画像ファイル表示画面７３の中のキーワード付加キー７５を選択する。
【０１７８】
ステップＳ６−２で：
図２９は本発明実施例２のエリア選択提示エリアの概念図である。
【０１７９】
図２９に示すように、入力表示部６１は画像ファイル表示画面７３のエリア選択提示エリア８２に「エリア選択を行ってください」という指示句を表示する。
【０１８０】
ステップＳ６−２で：
図３０は本発明実施例２の文字識別提示画面の概念図である。
【０１８１】
図３０に示すように、ユーザーは画像ファイル表示画面７３の画像ファイル表示エリア７７でエリア選択を行う。例えば、ユーザーの選択したエリアを「各種文書は、郵便、直接送付または他の形式で当事者に送ることができる。当事者委」とし、ユーザー側制御部６２が画面保存部６０内に保存した文字認識提示画面８３を呼び出し、入力表示部６１に表示する。ユーザーが「同意」を選択した場合、ステップＳ３−４に進む。ユーザーが「拒絶」を選択した場合、ステップＳ３−５に進む。
【０１８２】
ステップＳ６−４で：
図３１は本発明実施例２の文字識別画面の概念図である。
【０１８３】
図３１に示すように、ユーザーが「同意」を選択後、文字認識部３６はエリアを文字に変換し、入力表示部６１が文字を含む文字認識画面８５を表示する。ユーザーは文字認識画面８５で所定のキーワードを修正し、所定のキーワードのキーワード類別を選択する。
ユーザーが「決定」を選択すると、新たな所定のキーワードが生成し、ユーザーが「終了」を選択すると、新たな所定のキーワードを設定するプロセスが終了する。
【０１８４】
ステップＳ６−５で：
図３２は本発明実施例２の所定のキーワード入力画面の概念図である。
【０１８５】
図３２に示すように、ユーザーが「拒絶」を選択すると、入力表示部６１はキーワード付加画面８１を表示する。ユーザーはキーワード付加画面８１にて自分で所定のキーワードを入力し、所定のキーワードのキーワード類別を選択する。
これにより、新たな所定のキーワードの付加プロセスが終了する。
【０１８６】
実施例２の効果
実施例２の画像検索システムでは、画像ファイルに対応付けられた所定のキーワードを分類しているため、検索時には個人検索モード、共有検索モード及び全部検索モードを用いて所定のキーワードについて検索を行うことができ、自分の設定したキーワードを検索できるだけでなく、他のユーザーが共有するキーワードを検索でき、それによって検索モードを拡張し、検索の効率を向上することができる。
【０１８７】
以上、本発明の好ましい実施形態を説明したが、本発明はこの実施形態に限定されず、本発明の趣旨を離脱しない限り、本発明に対するあらゆる変更は本発明の技術の範囲に属する。
【図１】
2014175014.tif 000003
【図２】
2014175014.tif 000004
【図３】
2014175014.tif 000005
【図４】
2014175014.tif 000006
【図５】
2014175014.tif 000007
【図６】
2014175014.tif 000008
【図７】
2014175014.tif 000009
【図８】
2014175014.tif 000010
【図９】
2014175014.tif 000011
【図１０】
2014175014.tif 000012
【図１１】
2014175014.tif 000013
【図１２】
2014175014.tif 000014
【図１３】
2014175014.tif 000015
【図１４】
2014175014.tif 000016
【図１５】
2014175014.tif 000017
【図１６】
2014175014.tif 000018
【図１７】
2014175014.tif 000019
【図１８】
2014175014.tif 000020
【図１９】
2014175014.tif 000021
【図２０】
2014175014.tif 000022
【図２１】
2014175014.tif 000023
【図２２】
2014175014.tif 000024
【図２３】
2014175014.tif 000025
【図２４】
2014175014.tif 000026
【図２５】
2014175014.tif 000027
【図２６】
2014175014.tif 000028
【図２７】
2014175014.tif 000029
【図２８】
2014175014.tif 000030
【図２９】
2014175014.tif 000031
【図３０】
2014175014.tif 000032
【図３１】
2014175014.tif 000033
【図３２】
2014175014.tif 000034